(57)【要約】      （修正有）【課題】折り畳まれた着物を保管等に際して包むのに用いられる文庫紙を、安価に製造できて使いやすく、外観美麗なものにする。【解決手段】折り畳まれた着物２１を包むべく本体シート３１に、左右２個の袖部３２，３２と、互いに重合する上下２個の折り返し部３３，３４とが形成された文庫紙１１において、本体シート３１を、略正方形状をなす１枚のシート材で構成し、これを４５度回転した斜め使いにして文庫紙１１を構成する。左右両側に三角形の袖部３２を有し、上下に略三角形の折り返し部３３，３４を有する。各袖部３２と折り返し部３３，３４の基部に相当する部位には、それぞれ上下方向に延びる縦の折り目３５，３５と、左右方向に延びる横の折り目３６，３６が形成され、これら縦の折り目３５と横の折り目３６の形成位置が、本体シート３１の輪郭よりも内側において交差するように設定される。【選択図】図１
0003128829.tif 000002
【実用新案登録請求の範囲】
【請求項１】
折り畳まれた着物を包むべく本体シートに、左右２個の袖部と、互いに重合する上下２個の折り返し部とが形成された文庫紙であって、
上記袖部が、左右両側に張り出す三角形に形成されるとともに、
上記折り返し部が、上記各袖部の輪郭である傾斜した袖部傾斜辺と同一方向に傾く折り返し部傾斜辺を左右方向両側に有する形状に形成され、
これら袖部と折り返し部が１枚のシート材で構成されるとともに、
上記各袖部と折り返し部の基部に相当する部位には、それぞれ上下方向に延びる縦の折り目と、左右方向に延びる横の折り目が形成され、
これら縦の折り目と横の折り目の形成位置が、本体シートの輪郭よりも内側において交差するように設定され、
上記各袖部には、着物を包んだときに袖部の折り畳み状態を保持する保持手段が取り付けられて、
横の折り目、縦の折り目、または縦の折り目、横の折り目の順に折って横なが長方形状に折り畳まれる
文庫紙。
【請求項２】
前記本体シートが、正方形をなすシートの一つの対角部分を切除、または折り曲げて形成された
請求項１に記載の文庫紙。
【請求項３】
前記本体シートが、中心を通る縦横２本の線分を対称軸にした線対称図形をなすものである
請求項１または請求項２に記載の文庫紙。
【請求項４】
前記縦の折り目が、横の折り目で折った後で折り返す折り目である
請求項１から請求項３のうちのいずれか一項に記載の文庫紙。
【請求項５】
前記横の折り目が、縦の折り目で折った後で折り返す折り目であるとともに、
上記横の折り目で折り曲げられて重合する折り返し部に、着物を包んだときにその折り返し状態を保持する保持手段が設けられた
請求項１から請求項３のうちのいずれか一項に記載の文庫紙。
【請求項６】
後で折り返される部分に設けられる保持手段が、互いに結び合わされる一組の結束紐で構成された
請求項１から請求項５のうちのいずれか一項に記載の文庫紙。
【考案の詳細な説明】
【技術分野】
【０００１】
この考案は、折り畳まれた着物を保管等に際して包むのに用いられる文庫紙に関し、より詳しくは、安価に製造できて使いやすく、見た目にも良好な、新規な文庫紙に関する。なお、着物とは帯や羽織等の小さいものも含む意味である。
【背景技術】
【０００２】
文庫紙は、着物の保管には不可欠なものであり、古くから利用されている。このような文庫紙は、下記特許文献１の第５図、特許文献２の第３図に従来技術として開示されているように、また、下記非特許文献１に詳しく説明されているように、複数枚の紙を貼り合わせて作られている。すなわち、縦なが長方形をなす本体の長手方向における中間部に、左右に張り出すように方形の２枚の袖が取り付けられ、これらの袖と本体との間の直角をなす角の付け根部分を埋めるように、三角紙が取り付けられた構造である。三角紙は、着物のはみ出し防止やほこりの付着防止の目的で取り付けられる（下記非特許文献１の第１６８頁参照）。
【０００３】
しかし、非特許文献１の第１６８頁に記載されているように、紙の貼り合わせ作業は、一枚ずつ手作業で糊付けして行われるものであるので、「大変な作業である」。
【０００４】
ところで、上記特許文献１、２は、上記のように別体の三角紙を貼り付けるのではなく、あらかじめ一体にしたことを特徴とする考案である。
【０００５】
つまり、特許文献１の文庫紙では、本体が横亀甲形に形成され、特許文献２の文庫紙でも、四隅を切除した横なが長方形に形成されている。
【０００６】
そして、特許文献１の文庫紙でも特許文献２の文庫紙でも先に袖を折り返し、続いて下部と上部を折り返して着物を包むように構成されている。また、下部と上部は横ながの長方形であるので、左右に２組の紐が固定されている。
【０００７】
上述のように、特許文献１や特許文献２の文庫紙は三角紙に対応する部分を一体に構成したものであって、製造の容易化を図るれるというものであるが、その実質は、三角紙に相当する部分を大きく形成した構造である。
【０００８】
このため、着物のはみ出し防止やほこりの付着防止には十分すぎる大きさの紙が必要であって無駄がある。また、包む着物の厚みによっても異なるが、三角紙部分が大きすぎると、着物を包んだときにその部分のおさまりがわるくなって、捲れあがったような状態になりやすく扱い難い。
【０００９】
さらに、特許文献１や特許文献２の文庫紙は、着物を包んだ使用状態において、一番上にあらわれる部分が横なが長方形をなしており、それまでの文庫紙と外観の上で何ら変わることはない。そのうえ折り返される下部も上部も横なが長方形である故に、上記のように左右に２組の紐が必要であって、製造に際して手間がかかり、コストも高い。また着物を包む作業の工程数も多くなって、包む作業も簡単でない。
【００１０】
このためか、非特許文献１に記載されているように、上述のような複数枚の紙を貼り合わせた古くからある構造の文庫紙が細々と用いられていた。
【００１１】
【特許文献１】実開昭６０−３３０８６号公報
【特許文献２】実開昭６１−１３４９８９号公報
【非特許文献１】徳山  孝子、“たとう紙（文庫紙）の図像学的考察”（岐阜女子大学紀要第３０号）、第１６７頁および第１６８頁、［online］、２００１年３月３１日発行、［平成１８年１０月２８日検索］、インターネット＜URL:http://libwww.gijodai.ac.jp/newhomepage/kiyo2001/Data/167.pdf＞
【考案の開示】
【考案が解決しようとする課題】
【００１２】
そこで、この考案は、製造が容易でありながらも安価に作ることができ、使いやすく、外観も美麗にすることを主たる課題とする。
【課題を解決するための手段】
【００１３】
そのための手段は、折り畳まれた着物を包むべく本体シートに、左右２個の袖部と、互いに重合する上下２個の折り返し部とが形成された文庫紙であって、上記袖部が、左右両側に張り出す三角形に形成されるとともに、上記折り返し部が、上記各袖部の輪郭である傾斜した袖部傾斜辺と同一方向に傾く折り返し部傾斜辺を左右方向両側に有する形状に形成され、これら袖部と折り返し部が１枚のシート材で構成されるとともに、上記各袖部と折り返し部の基部に相当する部位には、それぞれ上下方向に延びる縦の折り目と、左右方向に延びる横の折り目が形成され、これら縦の折り目と横の折り目の形成位置が、本体シートの輪郭よりも内側において交差するように設定され、上記各袖部には、着物を包んだときに袖部の折り畳み状態を保持する保持手段が取り付けられて、横の折り目、縦の折り目、または縦の折り目、横の折り目の順に折って横なが長方形状に折り畳まれる文庫紙である。
【００１４】
すなわち、文庫紙は、正方形もしくは略正方形のような（類似の）形の本体シートを、各辺が縦横に延びる状態から４５度回転した状態、つまり斜め使いにしたような構成のもので、左右両側に三角形状の袖部を有し、上下両側に折り返し部を有する。これらは一体である。そして、袖部に、袖部を形作る斜めの袖部傾斜辺を有するのと同様に、折り返し部の左右方向両側にも、袖部傾斜辺と同一方向、すなわち右上がり、右下がりかに傾く折り返し部傾斜辺を有する。
【００１５】
そして、左右の袖部は縦の折り目で内側に折り返され、上下の折り返し部は横の折り目で内側に折り返され、全体として横なが長方形状に折り畳まれる。
【００１６】
このため、袖部と折り返し部のいずれが上になった状態で折り畳まれても、傾斜辺（袖部傾斜辺または折り返し部傾斜辺）が露出する。この結果、従来にない斬新な外観を得られる。
【００１７】
しかも、本体シートが略正方形状をなし、そのうえ１枚であるので、文庫紙の製造にあたっては印刷機にかけることも容易であり、美麗な外観を安価に得られる。
【００１８】
さらに、１枚の本体シートをもとにして製造されるので、貼り付け作業は必要な付属品（紐や、窓形成のためのセロファン）の取り付けだけでよく、手間を削減してコストを抑えることもできる。
【００１９】
また、文庫紙は、広げた状態においては、４５度回転させられた正方形のような形態をなすので、袖部と折り返し部との間の部分に余分な出っ張りや不規則な形状部分がなく、広げたときの形態が簡素な印象を得られるとともに、着物を包むときの折り畳みに際して、その部分の折り込みが簡単できれいに行え、作業性は良好である。
【００２０】
そのうえ、本体シートは傾斜辺で囲まれた形状であるので、従来、十字を描くように長方形を縦横に重ねた形状であったのに比べて、無駄をなくすことができる。
【００２１】
ここで、上記構成要件に関して、次のような態様に構成することができる。
【００２２】
態様の一つは、上記本体シートが、正方形をなすシートの一つの対角部分を切除、または折り曲げて形成されたものである。
【００２３】
この構成によれば、所望の図柄や模様、色彩を印刷機で施した後で、切除なり折り曲げを行えばよく、製造が容易である。
【００２４】
その他の態様の一つは、上記本体シートが、中心を通る縦横２本の線分を対称軸にした線対称図形をなすものである。
【００２５】
この構成によれば、袖部や折り返し部の折り畳む順番はあるものの、文庫紙に対していずれの位置にいても簡単に折り畳みができる形状であるため、着物を包む作業、着物を取り出す作業がしやすい。
【００２６】
その他の態様の一つは、上記縦の折り目が、横の折り目で折った後で折り返す折り目である。
【００２７】
この構成よれば、袖部が表面にでるように折り畳まれる。つまり、左右両側に２本ずつの袖部傾斜辺が露出するので、これまでにない新規な美感を得られる。しかも、折り畳んだ状態を保持する保持手段が袖部に設けられているので、文庫紙を横ながにして置いたときに、そのままの姿勢で楽に保持手段を結んだりすることができる。
【００２８】
その他の態様の一つは、上記横の折り目が、縦の折り目で折った後で折り返す折り目であるとともに、上記横の折り目で折り曲げられて重合する折り返し部に、着物を包んだときにその折り返し状態を保持する保持手段が設けられたものである。
【００２９】
この構成によれば、上下の折り返し部が袖部よりも上になるように折り畳まれる。つまり、折り返し部傾斜辺が露出するので、これまでにない新規な美感を得られる。しかも、折り返し部は、袖部の袖部傾斜辺と同一方向に傾く折り返し部傾斜辺を有するので、従来のように横なが長方形である場合に比してその先端側部分は横に短いので、これらの折り畳み状態を保持する保持手段は、長さ方向の中間部に一組でよく、保持手段の数を減らすことができる。
【００３０】
その他の態様の一つは、後で折り返される部分に設けられる保持手段が、互いに結び合わされる一組の結束紐で構成されたものである。
【００３１】
この構成によれば、保持手段の数を減らすことができて、コストの低減が図れるとともに、着物を包む作業が簡単になる。
【考案の効果】
【００３２】
以上のように、この考案によれば、特異な形状の１枚の本体シートを用いて、より少ない作業と、より少ない保持手段で文庫紙が製造できる。このため、安価に作ることが可能となる。また、本体シートは略正方形状のものを使用できるので、印刷も容易に行え、美麗な外観を安価に得られる。美麗な外観は、本体シートが有する袖部傾斜辺と折り返し部傾斜辺の存在によっても享受できる。しかも、必要以上の三角紙部分を有しない構造にできるので、着物を包む作業も簡単で、包んだときの外観も良好である。
【００３３】
このように、使い勝手がよく外観美麗な文庫紙が安価で得られるので、たとえば呉服店等のように従来から文庫紙を利用していた者に限らず、たとえばクリーニング店や一般の消費者にも手軽に使用でき、幅広い活用が期待できる文庫紙となる。
【考案を実施するための最良の形態】
【００３４】
この考案を実施するための一形態を、以下図面を用いて説明する。  
図１は、展開状態の文庫紙１１の内側面を示す斜視図であり、文庫紙１１は、折り畳まれた着物２１を包んで保管等に利用するものである。
【００３５】
この図に示すように文庫紙１１は、略正方形をなす１枚の紙製の本体シート３１を用いて製造される。本体シート３１には、各種の和紙、不織布、洋紙などはもちろんのこと、化学繊維を含むものや化学繊維のみからなるものも使用できる。
【００３６】
上記本体シート３１は、左右に２個の袖部３２，３２と、上下に２個の折り返し部３３，３４とを有する。袖部３２は左右方向に張り出す三角形に形成され、内側に折り返されたときに互いに接触しない大きさに設定されている。また、折り返し部３３，３４は三角形の先端の角部を切除して直線状にしたような形状に形成され、内側に折り返したときには一部が互いに重合するように設定されている。つまり、袖部３２は、２本の袖部傾斜辺３２ａを有し、折り返し部３３，３４も、２本の折り返し部傾斜辺３３ａ，３４ａを有する。この例において、袖部傾斜辺３２ａと折り返し部傾斜辺３３ａ，３４ａは、同一角度に傾斜している。
【００３７】
そして、各袖部３２，３２の基部に相当する部位に、上下方向に延びる縦の折り目３５，３５が形成され、折り返し部３３，３４の基部に相当する部位に、左右方向に延びる横の折り目３６，３６が形成されている。これら２本ずつの折り目３５，３５，３６，３６は、本体シート３１の輪郭よりも内側において適宜の隙間を残して交差する。
【００３８】
しかも、各袖部３２，３２の形状、また各折り返し部３３，３４の形状はそれぞれ同一である。すなわち、本体シート３１は、袖部３２，３２の頂点を結ぶ線分、および折り返し部３３，３４の中間を結ぶ線分、換言すれば、本体シート３１の中心を通る縦横２本の線分を対称軸にした線対称図形である。
【００３９】
なお、折り返し部３３，３４の高さは、着物２１を包まない状態で、横の折り目３６，３６で折り返し部３３，３４を折り返したときに、図２に示したように、その先端縁が対向する横の折り目３６に接しないように設定されている。
【００４０】
このような形態の本体シート３１は、正方形をなす基材シートから形成される。すなわち、基材シートにおける折り返し部３３，３４を形成する一組の対角部分を切除すればよい。なお、文庫紙１１の表面等に模様や色彩を施す場合には、基材シートに対して印刷を行った後に、上記切除を行う。
【００４１】
本体シート３１の大きさについて説明すると、次のとおりである。  
文庫紙１１は、幅は共通であるが長さにおいて各種のものがある。具体的には幅Ｗは３６cm位で、長さは６０cm前後から９０cm位のものまで必要とされる。
【００４２】
たとえば長さ６４cm程度の文庫紙１１を製造する場合には、図４に示したように、縦横ａが８５cm程度の正方形の基材シート３１ａを用いるとよい。
【００４３】
また、長さ８３cmや９０cmといった長いタイプの文庫紙１１を製造する場合には、図５に示したように、縦横ｂが１１０cm程度の正方形の基材シート３１ａを使用するとよい。
【００４４】
いずれの場合でも、８５cm角や１１０cm角といった所定の大きさの正方形をなす基材シート３１ａで、それぞれ６４cm前後（Ｌ１〜Ｌ２）の文庫紙１１や、８３〜９０cm前後（Ｌ３〜Ｌ４）の文庫紙１１を作ることができる。
【００４５】
ここで、上記横の折り目３６，３６は、縦の折り目３５，３５よりも先に折り曲げられる部分で、そのような折り曲げが可能なようにそれぞれの折り目３５，３５，３６，３６がつけられている。
【００４６】
また、各袖部３２，３２の先端部には、図１、図２、図３に示したように、平紐４１が取り付けられている。この平紐４１は、互いに結び合わされて、袖部３２，３２の折り畳み状態を保持するためのものである。袖部３２が三角形であるので平紐４１は一組でよい。図中、５１は、平紐４１を固定するのに用いたシールである。すなわち、平紐４１は本体シート３１の一部に形成された切込み（図示せず）を通して外側面から内側面に向けて差し込まれて、この部分をシール５１で固定することで取り付けられる。
【００４７】
さらに、本体シート３１の適宜の一部、図１、図２、図３の例では、上部の折り返し部３３の一部であって、各部３２，３２，３３，３４を折り返したときに内部に包んだ着物２１が透視できる位置に、窓６１が形成される。この窓６１は、本体シート３１に形成された透孔６１ａと、この透孔６１ａを内側から塞ぐように貼り付けられた透明フィルム６１ｂで形成される。透孔６１ａの形状は、本体シート３１の表面の図柄等に合せて、図示したような円形のほか、たとえば繭形など適宜の形状に形成される。
【００４８】
製造は、上記のように必要な印刷を施した後、所定の裁断を行ってから、平紐４１やセロファン６１ｂの取り付け、折り目３５，３５，３６，３６の形成の順に行える。必要によっては、台紙や中包み紙（図示せず）が内部に装入される。
【００４９】
このように構成された文庫紙１１は、次のように使用される。  
着物２１を保管等する場合には、まず図１に示したように、文庫紙１１を広げて、着物２１を中央の、縦の折り目３５，３５と横の折り目３６，３６に囲まれた部分にのせる。続いて、図２に示したように、下側の折り返し部３４を横の折り目３６で折り返し（図２（ａ））、上側の折り返し部３３を横の折り目３６で折り返して（図２（ｂ））から、左右の袖部３２を縦の折り目３５で内側に折り返す。そして最後に、袖部３２に取り付けられた平紐４１同士を結び、包んだ状態を保持する（図３参照）。
【００５０】
このように４箇所で折って、最後に一組の平紐４１を結べばよいので、作業は簡単である。しかも、文庫紙１１は、広げた状態において袖部３２，３２と折り返し部３３，３４とを形作る袖部傾斜辺３２ａと折り返し部傾斜辺３３ａ，３４ａは、同一角度で１本になっているので、余分な出っ張りや不規則な形状部分がなく、広げたときの形態が簡素な印象を得られるとともに、着物２１を包むときの折り畳みに際して、その部分の折り込みが簡単できれいに行える。
【００５１】
そのうえ、袖部傾斜辺３２ａと折り返し部傾斜辺３３ａ，３４ａを有する略正方形状であって、無駄のない形である。
【００５２】
また、着物２１を包んだ状態においては、袖部３２，３２が表面にでるように折り畳まれるが、このとき左右両側に２本ずつの袖部傾斜辺３２ａが露出するので、これまでにない新規な美感を得られる。さらに、平紐４１は、左右の袖部３２，３２に設けられているので、文庫紙１１を横ながにして置いたときに、そのままの姿勢で楽に保持手段を結んだりすることができる。
【００５３】
着物２１を包む作業について付言すれば、本体シート３１は、中心を通る縦横２本の線分を対称軸にした線対称図形をなすので、この結果、袖部３２，３２や折り返し部３３，３４の折り畳む順番はあるものの、文庫紙１１に対していずれの位置にいても方向を気にせず、簡単に折り畳みができる形状である。このため、着物２１を包む作業や着物２１を取り出す作業、単に折り畳む作業がしやすい。
【００５４】
さらに、本体シート３１が略正方形状をなし、上述のようにして製造されるので、文庫紙１１の製造にあたっては、印刷機にかけることが容易であり、美麗な外観を安価に得られる。
【００５５】
さらに、１枚の本体シート３１をもとにして製造されるので、貼り付け作業は平紐４１や窓６１のセロファン６１ｂの取り付けだけでよい。しかも、その平紐４１の本数も２本でよいので、手間を削減してコストを抑えることもできる。
【００５６】
以上のように、使い勝手がよく外観美麗な文庫紙１１が安価で得られるので、たとえば呉服店等のように従来から文庫紙を利用していた者に限らず、たとえばクリーニング店や一般の消費者にも手軽に使用でき、幅広い活用が期待できる文庫紙１１となる。
【００５７】
以下、その他の形態について説明する。この説明において、先の構成と同一または同等の構成部分については同一の符号を付して詳しい説明を省略する。
【００５８】
図６は、他の例に係る文庫紙１１の展開状態の内側面を示す斜視図であり、この図に示すように、本体シート３１は、正方形に形成され、一対の折り返し部３３，３４の先端部が折り返しにより形成された構造である。つまり、切除せずとも折り返して所望の形状にすることもできる。折り返した部分は、接着するも、折っただけにしておくもよい。接着する場合には、紐等を固定する必要があるときにはその固定に利用することができる。
【００５９】
図７も、他の例に係る文庫紙１１の展開状態の内側面を示す平面図であり、この図に示すように、本体シート３１は、正方形に類似する形状に形成されている。
【００６０】
すなわち、袖部傾斜辺３２ａと折り返し部傾斜辺３３ａ，３４ａの角度が異なるものであってもよい。
【００６１】
図７（ａ）に示したように、折り返し部傾斜辺３３ａ，３４ａの角度が袖部傾斜辺３２ａの角度よりも小さく設定されると、折り返し部３３，３４の形態を略三角形にすることができる。図７（ｂ）に示したように、袖部傾斜辺３２ａの角度を折り返し部傾斜辺３３ａ，３４ａの角度よりも急にすると、袖部３２の長さを短くすることが出来るので、長さの短い文庫紙１１を作るのに有効である。
【００６２】
図８は、他の例に係る文庫紙１１の展開状態の内側面を示す斜視図であり、この文庫紙１１は、縦の折り目３５，３５で折ってから横の折り目３６，３６で折るように構成された例である。
【００６３】
すなわち、縦の折り目３５と横の折り目３６はそれぞれ上記の順で折り返すように形成され、この結果、袖部３２が内側に入り込む構造となる。袖部３２同士は折り返されたときに接触しない長さであるので、その先端部には、紙縒かなる紐部材４２が取り付けられている。また、外側に出る折り返し部３３，３４には、１本ずつ平紐４１が取り付けられている。
【００６４】
このような構成の文庫紙１１は、図９に示したように、袖部３２の折り返し（図９（ａ），図９（ｂ））を行ってから紐部材４２の結束を行い、最後に下側の折り返し部３４、上側の折り返し部３３と順に折り返しを行ってから（図９（ｃ））、平紐４１同士を結んで、包んだ状態を保持する（図１０参照）。
【００６５】
このように構成した文庫紙１１では、上記のように、上下の折り返し部３３，３４が袖部３２よりも上になるように折り畳まれる。この結果、折り返し部傾斜辺３３ａ，３４ａが露出するので、先の例に係る文庫紙１１と同様に、これまでにない新規な美感を得られる。しかも、折り返し部３３，３４は、袖部３２の袖部傾斜辺３２ａと同一方向に傾く折り返し部傾斜辺３３ａ，３４ａを有するので、従来のように横なが長方形である場合に比してその先端側部分は横に短いので、これらの折り畳み状態を保持する平紐４１は、長さ方向の中間部に一組でよい。
【００６６】
この考案の構成と、上記一形態の構成との対応において、  
この考案の保持手段は、上記一形態の平紐４１および紐部材４２に対応するも、  
この考案は、上記構成のみに限定されるものではなく、その他の形態を採用することができる。  
たとえば、保持手段として、面ファスナやスナップなどを用いることもできる。
【図面の簡単な説明】
【００６７】
【図１】文庫紙の展開状態の斜視図。
【図２】文庫紙の折り畳み過程を示す平面図。
【図３】文庫紙の折り畳み状態の平面図。
【図４】基材シートの説明図。
【図５】基材シートの説明図。
【図６】他の例に係る文庫紙の展開状態の斜視図。
【図７】他の例に係る文庫紙の展開状態の平面図。
【図８】他の例に係る文庫紙の展開状態の斜視図。
【図９】図８の文庫紙の折り畳み過程を示す平面図。
【図１０】図８の文庫紙の折り畳み状態を示す平面図。
【符号の説明】
【００６８】
１１…文庫紙
２１…着物
３１…本体シート
３２…袖部
３２ａ…袖部傾斜辺
３３，３４…折り返し部
３３ａ，３４ａ…折り返し部傾斜辺
３５…縦の折り目
３６…横の折り目
４１…平紐
４２…紐部材
【図１】
0003128829.tif 000003
【図２】
0003128829.tif 000004
【図３】
0003128829.tif 000005
【図４】
0003128829.tif 000006
【図５】
0003128829.tif 000007
【図６】
0003128829.tif 000008
【図７】
0003128829.tif 000009
【図８】
0003128829.tif 000010
【図９】
0003128829.tif 000011
【図１０】
0003128829.tif 000012